(57)【要約】【課題】容易に運搬できかつ、生産性の高い電気掃除機を提供する。【解決手段】本体外郭を構成する取っ手５と、前記取っ手５より突出した本体運搬用の把手部１０を一体成形したもので、把手部１０を固定するための部品が不要になり、部品管理もより簡素となるだけでなく、組立においても色の組み合わせによる間違いがないうえに短時間で組み立てられる。また把手１０が本体内側にくいこまないため本体の容積・質量を大きくすることがなく、軽量な本体を容易に運搬することができる。【選択図】図１
2005137554.tif 000002
【特許請求の範囲】
【請求項１】
本体外郭を構成する一部品と、前記本体外郭より突出した本体運搬用の把手部を一体成形した電気掃除機。
【請求項２】
把手部を、使用状態の本体の上方に位置するようにした請求項１記載の電気掃除機。
【請求項３】
本体外郭を構成する一部品を透明あるいは半透明材料で形成した請求項１又は２記載の電気掃除機。
【請求項４】
本体外郭を構成する一部品の本体側に凹凸を繰り返すことで肉厚を変化させ、外部から視覚可能なライン模様を施した請求項３記載の電気掃除機。
【請求項５】
肉厚を本体左右方向に変化させて、ライン模様を本体前後方向に形成する請求項４記載の電気掃除機。
【請求項６】
肉厚を複数の方向で変化させて、ライン模様を複数の方向に形成した請求項４記載の電気掃除機。
【請求項７】
把手部の根元近傍に、本体外郭を構成する一部品と本体との固定手段を少なくともひとつ設けた請求項１〜６のいずれか１項に記載の電気掃除機。
【請求項８】
固定手段として、本体の内方からビスで本体外郭を構成する一部品を締結するようにした請求項７記載の電気掃除機。
【請求項９】
固定手段を複数設けた請求項７又は８記載の電気掃除機。
【請求項１０】
複数の固定手段を、ビスによる締結とツメ嵌合で構成した請求項９記載の電気掃除機。
【発明の詳細な説明】
【技術分野】
【０００１】
本発明は電気掃除機に関するものである。
【背景技術】
【０００２】
従来のこの種の電気掃除機について図１２を用いて説明する。図１２は従来の電気掃除機の集塵室蓋の分解図である。
【０００３】
図において、軸受３０を有する上本体３１、固定用軸３２を有する取っ手３３、軸受３４を有する取っ手固定用カバー３５から構成されており、取っ手３３は、その固定用軸９３２を上本体３１と取っ手固定用カバー３５のそれぞれの軸受３０、３４により挟持されることで固定されている(例えば、特許文献１参照)。
【０００４】
また、他の従来の電気掃除機について図１３を用いて説明する。
【０００５】
図１３は、電気掃除機の前部の部分断面図で、前壁３７下方に、内側が空洞となる枠体３８を有する下本体３９と、この枠体３８を囲ってなるフロントカバー４０から構成され、前記空洞に対応する穴部と前記枠体３８の穴部４１が一致するようにフロントカバー４０を係合して固定し、下本体３９とフロントカバー４０の間に取っ手用空間４２を設けている(例えば、特許文献２参照)。
【特許文献１】特開昭６４−０８３２３２号公報
【特許文献２】特開平３−２０７８５９号公報
【発明の開示】
【発明が解決しようとする課題】
【０００６】
しかしながら、図１２に示されるようなものでは、掃除機本体運搬時に取っ手３３にかかる荷重が、別部品である取っ手固定用カバー３５の取っ手３３を支持する軸受３４に集中してかかり、部品が破損し、運搬時に掃除機本体が落下することがあった。また製造面でも取っ手３３と取っ手固定用カバー３５を個別に管理、組み立てなければならないことからより多くの費用がかかり、さらに複数の色が存在する場合は、個別の部品生産・在庫管理がより繁雑となり、生産に支障をきたすこともあった。
【０００７】
また図１３に示されるような例では、部品点数は、図１２に示された従来例の構成より少なくなったが、取っ手となる部分が掃除機本体の内部に入り込むため、指をしっかりかけられる空間を設けようとすると空間上方の部品がさらに上方に位置せざるを得なくなり、本体の容積、質量を大きくしてしまったり、反対に本体の大きさを重視して空間を狭くすると指のかかり代が少なくなることで、本体の運搬に苦痛を感じることがあり、その結果、どちらにも偏らない中途半端な構成を取らざるを得ないことが多かった。
【０００８】
本発明は上記課題を解決するもので、容易に運搬でき、生産性の高い電気掃除機を提供することを目的とするものである。
【課題を解決するための手段】
【０００９】
上記従来の課題を解決するために、本発明の電気掃除機は、本体外郭を構成する一部品と、前記本体外郭より突出した本体運搬用の把手部を一体成形したもので、把手を固定するための部品が不要になり、部品管理もより簡素となるだけでなく、組立においても色の組み合わせによる間違いがないうえに短時間で組み立てられる。また把手が本体内側にくいこまないため本体の容積・質量を大きくすることがなく、軽量な本体を容易に運搬することができる。
【発明の効果】
【００１０】
本発明は、容易に運搬でき、かつ生産性の高い電気掃除機を提供することができる。
【発明を実施するための最良の形態】
【００１１】
第１の発明は、本体外郭を構成する一部品と、前記本体外郭より突出した本体運搬用の把手部を一体成形したもので、把手部を固定するための部品が不要になり、部品管理もより簡素となるだけでなく、組立においても色の組み合わせによる間違いがないうえに短時間で組み立てられる。また把手が本体内側にくいこまないため本体の容積・質量を大きくすることがなく、軽量な本体を容易に運搬することができる。
【００１２】
第２の発明は、特に第１の発明の把手部を、使用状態の本体の上方に位置するようにしたもので、掃除機本体の運搬の際にあらかじめ本体を立てるなど本体の姿勢変化の作業をすることなく、スムースに運搬作業にはいることができる。
【００１３】
第３の発明は、特に第１又は第２の発明の本体外郭を構成する一部品を透明あるいは半透明材料で形成したもので、把手内側に設けられる補強リブなどが外部から目視でき、本体荷重のかかるこの部品が高剛性であることが確認でき、本体を運搬する使用者に安堵感を与えることができる。
【００１４】
第４の発明は、特に第３の発明の本体外郭を構成する一部品の本体側に凹凸を繰り返すことで肉厚を変化させ、外部から視覚可能なライン模様を施したもので、本体外郭を構成する一部品や把手の表面に浮遊塵埃の堆積を招くことなく、ライン模様方向の強度を上げることができ、同時に部品剛性について使用者に安堵感を与えることができる。
【００１５】
第５の発明は、特に第４の発明の肉厚を本体左右方向に変化させて、ライン模様を本体前後方向に形成するもので、本体前後方向での強度を上げるとともに、本体全体をスリムに見せることができる。
【００１６】
第６の発明は、特に第４の発明の肉厚を複数の方向で変化させて、ライン模様を複数の方向に形成したもので、任意の複数の方向で強度を上げることが出来る。また複数のライン模様はその模様が形成する形状によって外部照明を乱反射することができ、商品そのものに輝きを与え、結果、商品の展示効果を大幅に向上するとともに、使用者も高級品を有していると感じることができる。
【００１７】
第７の発明は、特に第１〜６のいずれかひとつの発明の把手の根元近傍に、本体外郭を構成する一部品と本体との固定手段を少なくともひとつ設けたもので、もっとも荷重のかかる部分を効率よく補強することができる。
【００１８】
第８の発明は、特に第７の発明の固定手段として、本体の内方からビスで本体外郭を構成する一部品を締結するようにしたもので、荷重をもっとも確実に受けられるだけでなく、上方にビス穴がないことからその部分に浮遊塵埃の堆積の心配もないので、いつもクリーンな掃除機を使用できるとともに修理時に塵埃がこびりついてビスが回転せず分解できないという事態も防ぐことができる。
【００１９】
第９の発明は、特に第７又は第８の発明の固定手段を複数設けたもので、荷重の分散をより確実に行うことが可能で、破損についての安全率もより向上する。
【００２０】
第１０の発明は、特に第９の発明の複数の固定手段を、ビスによる締結とツメ嵌合で構成したもので、組立上まずツメを嵌合させることができ、本体に対する本体外郭を構成する一部品の仮固定と同時にビスの締結穴の位置決めが容易に行え、次に行うビスの締結もより確実で、且つ容易に行うことができる。
【００２１】
以下、本発明の実施の形態について、図面を参照しながら説明する。なお、この実施の形態によりこの発明が限定されるものではない。
【００２２】
（実施の形態１）
図１は、本発明の第１の実施の形態における電気掃除機の本体の側面図、図２は同本体の上本体と取っ手の斜視図、図３は同取っ手の斜視図、図４は同取っ手の下方斜視図、図５は同上本体の斜視図である。
【００２３】
図において、１は電気掃除機本体（以下「本体１」という）で、この本体１の主な外郭部品として下本体２、集塵室蓋３、上本体４、取っ手５を設ける。ここで上本体４はその上部に略円形状の凹部６を設け、この凹部６外周には、凹部６の中央から後方において断面略Ｕ字形の溝部７を設け、また凹部６の中央から前方は、上本体４前端にかけて前記溝部７につながる平面８を設ける。上本体４の前端の略垂直壁には、２個の略円柱形の突起部８ａを設ける。前記取っ手５は、略中央に前記凹部６の外径とほぼ同じ径の穴を有する基台９と略円弧状の把手部１０を一体としたもので、基台９はその後方に、前記溝部７を上部より塞ぎ、本体外郭表面となる高さを有した略環形状を有し、前方には後方形状同様、本体外郭表面となる高さを有した略Ｕ字形状を有し、その前端には略垂直下方に壁１１を設け、この壁には前記突起部８ａを内方に係合する穴部１２を設ける。
【００２４】
一方略円弧形状の把手部１０は断面略逆Ｕ字形とし、その内側には１本もしくは複数のリブ１０ａを設け、両端は、本体外郭部品である前記基台９と一体化することで、把手部１０を本体外郭表面より突出した形状とし、一体化した取っ手５のビス１３締結用のボス１４を、前記溝部７の底面に当接する長さに設ける。上本体４の溝部７底面には、このボス１４と同位置にビス用穴１５を設ける。
【００２５】
以上のように構成された電気掃除機において図１〜図４を用いて、その組み立てについて説明する。
【００２６】
取っ手５を上本体４に固定する際は、凹部６の外周に取っ手５の基台９の穴を合わせると共に、前記ボス１４位置を前記ビス用穴１５の位置に合わせるように、取っ手５を上方から上本体４にのせる。
【００２７】
このとき前記穴部１２は前記突起部８ａとほぼ同位置にあるので、ゆっくりと前記壁１１に力を加えて突起部８ａを穴部１２に係合させる。そして上本体４内方からビス１３を、前記ビス用穴１５を通して、前記ボス部１４にて締結する。
【００２８】
これにより本体外郭を構成する一部品である取っ手５と、本体外郭より突出した本体１の運搬用の把手１０を一体成形して設けたことで、把手１０を固定するための部品を別に用意することもないので部品管理もより簡素となるだけでなく、組立においてもこれらの部品の色の組み合わせによる間違いがないうえに、組立も短時間で行うことが出来る。また把手１０が本体外郭表面より突出することで本体１の容積・質量の増加を最低限に抑えられ、使用者は軽量な本体を容易に運搬することができる。
【００２９】
また、前記把手部１０は、前記凹部６の上方に配設される構成であるため、前記把手部１０の下端と前記凹部６間に使用者の手を挿入する高さを確保でき、そのため、前記把手部１０の突出高さをできるかぎり小さくすることができる。
【００３０】
また、本実施の形態では、取っ手５を、使用状態において本体外郭部品の上方である上本体４上方に設けることで、把手部１０を上本体４の上方に位置させているので、本体１の使用時から運搬に移行する際、本体１を引き起こす必要もなく、上本体４上方にある把手部１０を持つだけでスムースに本体１の運搬動作に入る事ができる。
【００３１】
なお、基台９と把手部１０が一体の取っ手５を透明ＡＢＳや透明ＰＳ等の透明材料で形成したり、取っ手５を色付き部品としたり、シボ加工を施すことで、いわゆる半透明部品にすれば、取っ手５の内側に設けられる補強用のリブ１０ａなどが目視でき、本体１の荷重のかかるこの取っ手５が高剛性であることが確認でき、本体１を運搬する使用者に安堵感を与えることができる。
【００３２】
（実施の形態２）
図６は、本発明の第２の実施の形態における電気掃除機の基台９の部分断面図である。なお、上記実施の形態と同一部分については同一符号を付してその説明を省略する。
【００３３】
本実施の形態は、図６に示すように基台９の下側、すなわち本体１側の面に略波形状の連続した凹凸形状１６を設けたもので、それにより基台９そのものの肉厚が変化し、肉厚が変化する方向に対して垂直方向の部品強度を上げることが出来る。また上方から見ると肉厚変化部分はライン模様１７に見え、部品剛性について使用者に安堵感を与えるとができる。さらに肉厚変化が基台９の下側であるため、上側に凹凸形状を設けた時に生じる、浮遊塵埃の堆積も発生せず、長期間に渡って使用者にクリーンな電気掃除機を提供することができる。尚、ここでは肉厚変化を直線的に、また変化の割合を均等に行った説明になっているが、肉厚変化は必ずしも直線的に行う必要はなく、また均等に行う必要もないことはいうまでもない。
【００３４】
（実施の形態３）
図７は、本発明の第３の実施の形態における電気掃除機の平面図である。なお、上記実施の形態と同一部分については同一符号を付してその説明を省略する。
【００３５】
本実施の形態では、第２の実施の形態で述べた略波形状の連続した凹凸形状１６を、図７に示すように本体１の左右方向に設けたもので、それにより掃除の際の本体１の移動時に衝撃の加わりやすい前後方向での強度を上げることができる。また上方から見えるライン模様１７は、本体前後方向に見えるので、展示状態において本体１をスリムに見せることができ、軽量感を消費者に強く訴えることが出来る。
【００３６】
また、図８や図９に示すように、略波形状の連続した凹凸形状１６を、基台９下側あるいは集塵室蓋３の裏面に、本体１の左右方向より一定の角度を有した複数の方向、例えば２方向に設けるようにすれば、ライン模様１８を複数の任意の方向に設けることで、ライン模様１８の方向で強度を上げることが出来る。また複数のラインはその模様によって外部照明を乱反射することができ、商品そのものに輝きを与え、結果、商品の展示効果を大幅に向上するとともに、使用者も高級品を有していると感じることができる。
【００３７】
（実施の形態４）
図１０は、本発明の第４の実施の形態における電気掃除機の要部断面図である。なお、上記実施の形態と同一部分については同一符号を付してその説明を省略する。
【００３８】
本実施の形態は、図１０に示すように、ボス１４を、取っ手５の把手部１０の根元近傍に設け、上本体４のビス用穴１５も同位置に設け、本体１の内方よりビス１３で締結するもので、本体外郭部品のひとつである取っ手５の把手部１０根元近傍に少なくともひとつの、本体１との固定手段を設けることで、もっとも荷重のかかる把手部１０の根元部分を効率よく補強できるものである。
【００３９】
また、上方にビス穴１５がないことからそこに浮遊塵埃が堆積する心配もないので、いつもクリーンな掃除機を使用できるとともに修理時に塵埃がこびりついてビスが回転せず分解できないという事態も防ぐことができる。
【００４０】
（実施の形態５）
図１１は、本発明の第５の実施の形態における電気掃除機の要部断面図である。なお、上記実施の形態と同一部分については同一符号を付してその説明を省略する。
【００４１】
本実施の形態は、ボス１４を、把手部１０の根元近傍に取っ手５と一体に設け、さらに、環形状の基台９の一部に、図１１に示すように下方に伸長したツメ１８を、ボス１４近傍に設け、上本体４には、ビス用穴１５をボス１４と同位置に設け、ツメ１８と係合する穴１９を溝部７に設けたものである。
【００４２】
以上の構成により、取っ手５の把手部１０根元近傍に設けた本体１との固定手段として、ビス１３に加えツメ１８と穴１９との係合による固定手段が加わり、複数の固定手段で、荷重の分散をより確実に行うことが可能で、破損についての安全率もより向上する。
【００４３】
尚、上記実施の形態では、ツメ１８と穴１９の嵌合とビス１３による締結を複数の固定手段として説明したが、ツメ１８による嵌合の代わりにビス１３による締結手段を増やすことでも同様のことがいえる。
【００４４】
また、上記構成によれば、把手部１０の根元近傍に設けた複数の固定手段を、ビス１３による締結とツメ１８による嵌合に限定することで、組立時に、まずツメ１８を穴１９に嵌合させ、上本体４に対する取っ手５の仮固定と同時にビス１３の穴１５の位置決めが容易に行え、次に行うビス１３の締結もより確実で、且つ容易に行うことができる。もちろん取付強度についても、ビス１３による締結なのでより確実である。
【産業上の利用可能性】
【００４５】
以上のように、本発明にかかる電気掃除機は、高い生産性を確保できるとともに、本体を容易に運搬でき、実用性でも極めて有用なものである。
【図面の簡単な説明】
【００４６】
【図１】本発明の実施の形態１における電気掃除機の本体の側面図
【図２】同本体の上本体と取っ手の斜視図
【図３】同取っ手の斜視図
【図４】同取っ手の下方斜視図
【図５】同上本体の斜視図
【図６】本発明の実施の形態２における電気掃除機の基台の部分断面図
【図７】本発明の実施の形態３における電気掃除機の平面図
【図８】他の例を示す電気掃除機の取っ手の斜視図
【図９】さらに他の例を示す電気掃除機の平面図
【図１０】本発明の実施の形態４における電気掃除機の要部断面図
【図１１】本発明の実施の形態５における電気掃除機の要部断面図
【図１２】従来の電気掃除機の上本体及び関連部品の分解図
【図１３】従来の他の例を示す電気掃除機の前部断面図
【符号の説明】
【００４７】
１  電気掃除機本体
４  上本体
５  取っ手（本体外郭を構成する一部品）
７  溝部
９  基台
１０  把手部
１４  ビス締結用ボス
１５  ビス用穴
１６  凹凸形状
１８  ツメ形状
【図１】
2005137554.tif 000003
【図２】
2005137554.tif 000004
【図３】
2005137554.tif 000005
【図４】
2005137554.tif 000006
【図５】
2005137554.tif 000007
【図６】
2005137554.tif 000008
【図７】
2005137554.tif 000009
【図８】
2005137554.tif 000010
【図９】
2005137554.tif 000011
【図１０】
2005137554.tif 000012
【図１１】
2005137554.tif 000013
【図１２】
2005137554.tif 000014
【図１３】
2005137554.tif 000015